(57)【要約】【課題】複数の映像および音声入力端子が存在する場合に、ケーブルの接続ミスを防止し、ケーブルの接続作業を容易にすることを課題とする。【解決手段】複数の映像入力端子と複数の音声入力端子とからなる入力端子群と、各映像入力端子の使用状態を検出し、各音声入力端子の使用状態を検出する端子検出部と、所定のタイミングに、端子検出部によって使用状態であることが検出された映像入力端子ＶＴｍと、端子検出部によって使用状態であることが検出された音声入力端子ＡＴｎとを対応付ける対応付け部と、対応付け部によって２つの入力端子ＶＴｍとＡＴｎとが対応付けられたことを示す対応情報を記憶する記憶部と、入力端子ＶＴｍに入力された映像信号と、入力端子ＡＴｎに入力された音声信号のいずれか一方を出力するときに、対応情報によって対応付けられた他方の映像信号または音声信号も同時に出力する制御部とを備えたことを特徴とする。【選択図】図６
2010287998.tif 000002
【特許請求の範囲】
【請求項１】
複数の映像入力端子と複数の音声入力端子とからなる入力端子群と、
前記各映像入力端子の使用状態を検出する映像端子検出部と、
前記各音声入力端子の使用状態を検出する音声端子検出部と、
所定のタイミングに、前記映像端子検出部によって使用状態であることが検出された映像入力端子ＶＴｍと、前記音声端子検出部によって使用状態であることが検出された音声入力端子ＡＴｎとを対応付ける対応付け部と、
前記対応付け部によって映像入力端子ＶＴｍと音声入力端子ＡＴｎとが対応付けられたことを示す対応情報を記憶する記憶部と、
前記映像入力端子ＶＴｍに入力された映像信号と、前記音声入力端子ＡＴｎに入力された音声信号のいずれか一方を出力するときに、前記対応情報によって対応付けられた他方の映像信号または音声信号も、同時に出力する制御部とを備えたことを特徴とする表示装置。
【請求項２】
前記制御部が出力すべき映像信号または音声信号のいずれか一方を指定する操作部と、
指定された映像信号または音声信号が出力されるように、前記入力端子群の中から、その指定された映像信号または音声信号が入力されている映像入力端子または音声入力端子を選択する選択部とを、さらに備え、
前記制御部が、前記対応情報に基づいて前記選択された映像入力端子または音声入力端子と対応付けられた音声入力端子または映像入力端子を選択し対応付け、該対応付けられた映像入力端子と音声入力端子に対して入力されている映像信号と音声信号とを出力することを特徴とする請求項１の表示装置。
【請求項３】
前記映像端子検出部は、前記映像入力端子に入力される映像信号の有無を検出し、映像信号が入力されていることを検出した場合に、その検出された映像入力端子が使用状態であると判断し、
前記音声端子検出部は、前記音声入力端子に入力される音声信号の有無を検出し、音声信号が入力されていることを検出した場合に、その検出された音声入力端子が使用状態であると判断することを特徴とする請求項１または２の表示装置。
【請求項４】
前記映像端子検出部は、前記映像入力端子に接続される映像用ケーブルの接続の有無を検出し、映像用ケーブルの接続があることを検出した場合に、その検出された映像入力端子が使用状態であると判断し、
前記音声端子検出部は、前記音声入力端子に接続される音声用ケーブルの接続の有無を検出し、音声用ケーブルの接続があることを検出した場合に、その検出された音声入力端子が使用状態であると判断することを特徴とする請求項１または２の表示装置。
【請求項５】
前記対応付け部は、所定の同一時間に、使用状態であることが検出された１つの映像入力端子ＶＴｍと１つの音声入力端子ＡＴｎとを対応付けることを特徴とする請求項１乃至４に記載したいずれかの表示装置。
【請求項６】
前記音声入力端子が、同一の音源から出力されたアナログ音声信号とデジタル音声信号とを、それぞれ入力するアナログ音声入力端子とデジタル音声入力端子とを含む場合、前記対応付け部は、同時間に使用状態であることが検出された１つの映像入力端子と、前記アナログ音声入力端子およびデジタル音声入力端子からなる２つの音声入力端子とを対応付けることを特徴とする請求項１乃至４に記載したいずれかの表示装置。
【請求項７】
前記対応付けられた音声入力端子として、アナログ音声入力端子とデジタル音声入力端子がある場合、前記デジタル音声入力端子をアナログ音声入力端子よりも優先することを示すように、前記対応情報を記憶部に記憶することを特徴とする請求項６の表示装置。
【請求項８】
前記所定のタイミングに、使用状態であることが検出された映像入力端子および音声入力端子の両方またはいずれかが複数個ある場合、前記対応付け部が、利用者に、どの映像入力端子と音声入力端子とを対応付けるべきかを問合わせることを特徴とする請求項１乃至４のいずれかの表示装置。
【請求項９】
前記入力端子群に属する各映像入力端子と各音声入力端子とは、予め対とする対応付けがされていないことを特徴とする請求項１の表示装置。
【請求項１０】
前記対応付け部が対応付けを行う前記所定のタイミングには、電源を投入した時、前記映像端子検出部または音声端子検出部によって使用状態が変化したことを検出した時、および前記操作部によって出力すべき映像信号または音声信号のいずれか一方を指定した時が含まれることを特徴とする請求項２の表示装置。
【請求項１１】
コンピュータに、
入力端子群に属する複数の映像入力端子の使用状態を検出する映像端子検出機能と、
入力端子群に属する複数の音声入力端子の使用状態を検出する音声端子検出機能と、
所定のタイミングに、前記映像端子検出機能によって使用状態であることが検出された映像入力端子ＶＴｍと、前記音声端子検出機能によって使用状態であることが検出された音声入力端子ＡＴｎとを対応付ける対応付け機能と、
前記対応付け機能によって前記映像入力端子ＶＴｍと音声入力端子ＡＴｎとが対応付けられたことを示す対応情報を記憶する記憶機能と、
前記映像入力端子ＶＴｍに入力された映像信号と、前記音声入力端子ＡＴｎに入力された音声信号のいずれか一方を出力するときに、前記対応情報によって対応付けられた他方の映像信号または音声信号も、同時に出力する制御機能とを実現させるためのプログラム。
【発明の詳細な説明】
【技術分野】
【０００１】
この発明は、表示装置に関し、特に、映像信号と音声信号とを入力するための複数の入力端子を備えた表示装置に関する。
【背景技術】
【０００２】
今日の表示装置は、映像入力端子と音声入力端子を備え、ビデオレコーダなどの映像機器や、パソコンなどの情報機器が接続され、入力端子を介してこれらの外部機器から出力された映像信号と音声信号が入力される。これらの入力信号には種々のものが存在するため、１種類の入力端子を備えただけでは、すべての入力信号に対応することができない。
たとえば、映像信号については、主として、アナログ信号とデジタル信号の２つの信号形式があり、入力端子の物理的な形状（Ｓ２映像入力端子，Ｄ４映像入力端子，ＲＣＡピンジャック映像入力端子，アナログＲＧＢ入力端子，デジタルＲＧＢ入力端子など）も、種々の形状が規格化されている。
【０００３】
したがって、種々の入力信号を入力することができるようにするために、予め複数の入力端子を備えた表示装置が市販されている。
また、ＤＶＤプレーヤーやビデオレコーダなどの複数の外部機器を、１つの表示装置に接続しておき、表示する入力信号を選択して所望の映像を表示させるものもあり、このような表示装置には、１対の映像信号と音声信号とからなる入力系統の入力端子群が複数個備えられている。
【０００４】
たとえば、３つのビデオ入力信号（ビデオ入力１〜３）と、パソコンからの入力信号（ＰＣ入力）を入力することのできる４系統の入力端子群を持つ表示装置がある。
この場合、１つのビデオ入力信号に対しては、３つの端子形状の異なる映像入力端子（Ｓ２映像入力端子，ＲＣＡピンジャック映像入力端子，Ｄ４映像入力端子）と、ＲＣＡピンジャック形状の２つの音声入力端子（左音声，右音声）を備えるものがある。
また、ＰＣ入力信号に対しては、２つの端子形状の異なる映像入力端子（アナログＲＧＢ入力端子（１５ピン），デジタルＲＧＢ入力端子（２４ピン））と、ＲＣＡピンジャック形状の１つの音声入力端子を備えるものがある。
このような表示装置では、４系統の入力端子として、合計最大で１８個の入力端子（映像用１１個，音声用７個）を持つことになる。
【０００５】
また、このような１対の映像信号と音声信号からなる入力端子群を複数系統持つ映像機器において、入力端子にプラグが接続された状態を検出する機械的スイッチや、映像信号の同期信号の有無を検出する電気的な検出手段を備えることにより、入力端子の使用状況に応じて入力信号を選択する信号切換装置が提案されている（特許文献１）。
【０００６】
また、対応づけられた映像信号と音声信号とからなる複数の入力端子群を備え、入力される音声信号の電流又は電圧を検出して音声信号の有無を判定し、音声信号が入力された音声入力端子と、この音声入力端子に対応した映像入力端子からの入力信号とを自動的に取り込むようにした画像表示装置が提案されている（特許文献２）。
さらに、１対の映像信号と音声信号とが、それぞれ２つのコネクタのどちらかへ入力された場合に、映像信号の同期信号を検出することによりコネクタへ入力された信号の種類（映像か音声か）を識別し、信号出力経路を、入力信号の種類に対応させて切り替える信号接続切替装置が提案されている（特許文献３）。
【先行技術文献】
【特許文献】
【０００７】
【特許文献１】特開２０００−５９７０２号公報
【特許文献２】特開２００７−２３２９５９号公報
【特許文献３】特開平１０−１２６７０２号公報
【発明の概要】
【発明が解決しようとする課題】
【０００８】
しかし、従来の表示装置では、一対の映像信号と音声信号とからなる入力信号を、同じ系統の入力端子群に接続しなければならず、同一形状の端子が多数並んで配置されている場合には、誤接続される可能性が高かった。
【０００９】
たとえば、上記したように、３系統のビデオ入力端子を持つ表示装置では、一般に、映像信号と音声信号とが一対となっており、１つの外部機器から入力される一対の映像信号と音声信号とを、同一の入力系統の入力端子に接続する必要がある。
このとき、接続作業は利用者による手作業で行われ、映像入力端子としてＲＣＡピンジャックを使用する場合は、音声入力端子と映像入力端子とは同一の形状であるため、誤接続される場合がある。
また、各特許文献に記載された自動接続切替技術を用いれば、利用者の接続負担を軽減させることができるが、一対の映像信号と音声信号とは同じ系統の入力端子群に接続することを前提とするため、これらの場合も、一対の映像信号と音声信号とをそれぞれ別の入力系統の入力端子に接続した場合は、両信号を同一系統の入力端子に接続し直す必要があった。
【００１０】
また、１つの入力系統ごとに、あらゆる規格（形状，信号形成）に対応した入力端子群を予め備えることは、種々の外部機器をどの入力系統にも接続可能となる点で好ましいが、それらの多数の入力端子を設けるスペースを確保しなければならず、コストアップにつながるという問題がある。
さらに、今後の技術革新と共に、利用される端子形状や信号形式が増加することが考えられるので、あらゆる入力信号に対応するべく多数の入力端子を追加することは、ますます、誤接続の可能性とコストアップを招くことになる。また、最新の技術により開発されたデジタル音声などに対応した入力端子をすべての入力系統に設けたとしても、その新技術のデジタル音声に対応した外部機器がまだ世の中にあまり存在しない場合は、その入力端子は無駄になることが多い。
【００１１】
一方、入力系統ごとに、入力可能な信号の種類や端子形状を限定した場合、端子の設置スペースの確保やコスト削減の点では有利であるが、たとえば、ある１つの入力系統１では、Ｓ２，Ｄ４およびＲＣＡピンジャックの３つのコネクタを備え、３つの映像入力が可能であるが、他の入力系統２では、ＲＣＡピンジャックのコネクタしか備えられていない場合、Ｓ２映像信号しか出力できない外部機器は、入力系統１にしか接続できず、同時に接続される台数が制限されるという問題があった。
【００１２】
そこで、この発明は、以上のような事情を考慮してなされたものであり、入力端子への接続と設定作業についての利用者の負担の軽減と、コスト削減を可能とする表示装置を提供することを課題とする。
【課題を解決するための手段】
【００１３】
この発明は、複数の映像入力端子と複数の音声入力端子とからなる入力端子群と、前記各映像入力端子の使用状態を検出する映像端子検出部と、前記各音声入力端子の使用状態を検出する音声端子検出部と、所定のタイミングに、前記映像端子検出部によって使用状態であることが検出された映像入力端子ＶＴｍと、前記音声端子検出部によって使用状態であることが検出された音声入力端子ＡＴｎとを対応付ける対応付け部と、前記対応付け部によって映像入力端子ＶＴｍと音声入力端子ＡＴｎとが対応付けられたことを示す対応情報を記憶する記憶部と、前記映像入力端子ＶＴｍに入力された映像信号と、前記音声入力端子ＡＴｎに入力された音声信号のいずれか一方を出力するときに、前記対応情報によって対応付けられた他方の映像信号または音声信号も同時に出力する制御部とを備えたことを特徴とする表示装置を提供するものである。
【００１４】
これによれば、入力端子群の映像入力端子と音声入力端子の使用状態を検出することにより、両端子相互間の対応付けを行っているので、従来のように、予め対とされている映像入力端子と音声入力端子の位置を確認する必要はなく、ケーブルの接続ミスを防止することができ、入力端子群へのケーブル接続作業を容易に行うことができる。
また、入力端子の対応付けは自動的に行われるので、従来のように誤接続時の接続のやり直しを行う必要はなく、ケーブルの接続および確認についての利用者の負担が軽減できる。
【００１５】
また、制御部が出力すべき映像信号または音声信号のいずれか一方を指定する操作部と、指定された映像信号または音声信号が出力されるように、前記入力端子群の中から、その指定された映像信号または音声信号が入力されている映像入力端子または音声入力端子を選択する選択部とをさらに備え、前記制御部が、前記対応情報に基づいて前記選択された映像入力端子または音声入力端子と対応付けられた音声入力端子または映像入力端子を選択し対応付け、該対応付けられた映像入力端子と音声入力端子に対して入力されている映像信号と音声信号とを出力することを特徴とする。
これにより、対応付けられた映像入力端子と音声入力端子に入力された映像信号と音声信号とが出力されるので、映像用ケーブルと音声用ケーブルを接続するときに、対となる映像と音声の入力端子の位置を意識して接続する必要はなく、利用者の接続作業の負担を軽減できる。
【００１６】
また、前記映像端子検出部は、前記映像入力端子に入力される映像信号の有無を検出し、映像信号が入力されていることを検出した場合に、その検出された映像入力端子が使用状態であると判断し、前記音声端子検出部は、前記音声入力端子に入力される音声信号の有無を検出し、音声信号が入力されていることを検出した場合に、その検出された音声入力端子が使用状態であると判断することを特徴とする。
さらに、前記映像端子検出部は、前記映像入力端子に接続される映像用ケーブルの接続の有無を検出し、映像用ケーブルの接続があることを検出した場合に、その検出された映像入力端子が使用状態であると判断し、前記音声端子検出部は、前記音声入力端子に接続される音声用ケーブルの接続の有無を検出し、音声用ケーブルの接続があることを検出した場合に、その検出された音声入力端子が使用状態であると判断することを特徴とする。
【００１７】
また、前記対応付け部は、所定の同一時間に、使用状態であることが検出された１つの映像入力端子ＶＴｍと１つの音声入力端子ＡＴｎとを対応付けることを特徴とする。
一般に、この発明の表示装置と一つの外部機器を、映像用ケーブルと音声用ケーブルで接続する場合、その接続作業は、ほぼ同時期に行われると考えられるので、これら２つのケーブルの接続作業が終了した後の同一時間に使用状態の検出を行えば、ケーブルを接続した入力端子の位置に関係なく、利用者が意図した映像入力端子と音声入力端子とを対応付けることができ、ケーブル接続時の利用者の負担を軽減できる。
【００１８】
また、この発明は、前記音声入力端子が、同一の音源から出力されたアナログ音声信号とデジタル音声信号とを、それぞれ入力するアナログ音声入力端子とデジタル音声入力端子とを含む場合、前記対応付け部は、同時間に使用状態であることが検出された１つの映像入力端子と、前記アナログ音声入力端子およびデジタル音声入力端子からなる２つの音声入力端子とを対応付けることを特徴とする。
ここで、前記対応付けられた音声入力端子として、アナログ音声入力端子とデジタル音声入力端子がある場合、前記デジタル音声入力端子をアナログ音声入力端子よりも優先することを示すように、前記対応情報を記憶部に記憶するようにしてもよい。
これによれば、１つの映像信号を入力する映像入力端子と、これに対応する２つの音声信号についてのそれぞれの音声入力端子の対応付けが可能となる。
【００１９】
また、前記所定のタイミングに、使用状態であることが検出された映像入力端子および音声入力端子の両方またはいずれかが複数個ある場合、前記対応付け部が、利用者に、どの映像入力端子と音声入力端子とを対応付けるべきかを問合わせることを特徴とする。
これによれば、利用者に対応付けを問合せることにより、利用者は入力端子の対応付けを確認することができ、対応付けが利用者の意図したものと異ならないようにすることができる。
【００２０】
さらに、この発明では、前記入力端子群に属する各映像入力端子と各音声入力端子とは、予め対とする対応付けがされていないことを特徴とする。
この発明では、ケーブルを接続する前と接続した後に、各入力端子の使用状態を検出するようにすれば、映像入力端子と音声入力端子の使用状態の変化が検出されそれらの端子の対応付けが設定されるので、予め一対となるべき映像と音声の入力端子を位置決めして複数個設ける必要はなく、対とする対応付けがされていない映像用の入力端子と音声用の入力端子とを、設計時に必要と考えられる数だけ備えるようにすればよい。したがって、設けられた入力端子を効率的に使用することができ、全体として入力端子の数を減らすこともでき、入力端子のために確保すべきスペースを減らし、入力端子に関係するコストを削減することができる。
【００２１】
また、前記対応付け部が対応付けを行う前記所定のタイミングには、電源を投入した時、前記映像端子検出部または音声端子検出部によって使用状態が変化したことを検出した時、および前記操作部によって出力すべき映像信号または音声信号のいずれか一方を指定した時が含まれることを特徴とする。ただし、所定のタイミングは、これに限るものではない。
【００２２】
また、この発明は、コンピュータに、入力端子群に属する複数の映像入力端子の使用状態を検出する映像端子検出機能と、入力端子群に属する複数の音声入力端子の使用状態を検出する音声端子検出機能と、所定のタイミングに、前記映像端子検出機能によって使用状態であることが検出された映像入力端子ＶＴｍと、前記音声端子検出機能によって使用状態であることが検出された音声入力端子ＡＴｎとを対応付ける対応付け機能と、前記対応付け機能によって前記映像入力端子ＶＴｍと音声入力端子ＡＴｎとが対応付けられたことを示す対応情報を記憶する記憶機能と、前記映像入力端子ＶＴｍに入力された映像信号と、前記音声入力端子ＡＴｎに入力された音声信号のいずれか一方を出力するときに、前記対応情報によって対応付けられた他方の映像信号または音声信号も、同時に出力する制御機能とを実現させるためのプログラムを提供するものである。
【発明の効果】
【００２３】
この発明によれば、所定のタイミングに複数個設けられた映像入力端子と音声入力端子の使用状態を検出することにより、使用状態であることが検出された映像入力端子と音声入力端子の対応付けを行っているので、対となる映像入力端子と音声入力端子の位置を予め確認してケーブルを接続する必要はなく、ケーブルの接続ミスを防止するとともに、ケーブルの接続作業時の利用者の負担を軽減できる。
【図面の簡単な説明】
【００２４】
【図１】この発明の表示装置の一実施例の表示装置の構成ブロック図である。
【図２】この発明の記憶部に記憶される情報の一実施例の説明図である。
【図３】この発明の入力端子群の接続関係を示す一実施例の説明図である。
【図４】この発明の入力端子群に入力される映像信号と音声信号の検出と、入力端子の接続状態についての一実施例の説明図である。
【図５】この発明の端子対応管理テーブルの対応情報の一実施例の説明図である。
【図６】この発明の入力端子の使用状態検出と対応付け処理の概略フローチャートである。
【図７】この発明の入力端子の使用状態を検出する処理の一実施例のフローチャートである。
【図８】この発明の入力端子の使用状態の変化をチェックする処理の一実施例のフローチャートである。
【図９】この発明の入力端子の対応付け処理の一実施例のフローチャートである。
【図１０】デジタル音声入力端子がある場合の対応付け処理の一部分のフローチャートである。
【図１１】デジタル音声信号の入力端子がある場合の端子対応管理テーブル２４の一実施例の説明図である。
【図１２】この発明の表示装置の視聴時における処理の一実施例のフローチャートである。
【図１３】この発明の表示装置の視聴時における処理の一実施例のフローチャートである。
【発明を実施するための形態】
【００２５】
以下、図面を使用して本発明の実施の形態を説明する。なお、以下の実施例の記載によって、この発明が限定されるものではない。
＜表示装置の構成＞
図１に、この発明の表示装置の一実施例の構成ブロック図を示す。
この発明の表示装置は、パソコンやビデオレコーダなどの外部機器から送られてくる映像信号ＶＤと音声信号ＡＤとからなる入力信号を入力する入力端子群１１を備える。
入力端子群１１は、複数個の映像信号ＶＤを入力可能なＭ個の映像入力端子（ＶＴ１，ＶＴ２，…ＶＴＭ）からなる映像端子群１１−１と、複数個の音声信号ＡＤを入力可能なＮ個の音声入力端子（ＡＴ１，ＡＴ２，…ＡＴＮ）からなる音声端子群１１−２とから構成される。
以下、各映像入力端子を単に、「映像端子」とも呼び、各音声入力端子を「音声端子」とも呼ぶ。
【００２６】
映像端子群１１−１は、各種規格に対応した形状を持つ入力端子からなり、たとえば、ピンジャック端子，Ｓ２端子，Ｄ４端子，ＲＧＢ端子などの種々の形状の入力端子から構成される。どの形状の入力端子をいくつ持つかは、表示装置の設計仕様によって異なる。
音声端子群１１−２は、アナログ音声を入力するための一般的なピンジャック端子の他、デジタル音声入力端子などから構成される。
【００２７】
この発明では、外部機器の映像出力端子と、この発明の表示装置の映像端子群１１−１のいずれかの映像端子とを、所定の映像用ケーブルで接続し、また、その外部機器の音声出力端子と、この表示装置の音声端子群１１−２のいずれかの音声端子とを、所定の音声用ケーブルで接続する。
このとき、利用者は、その外部機器の映像出力端子と音声出力端子に接続された映像用ケーブルと音声用ケーブルとを、入力端子群１１の映像と音声の端子番号の関係を意識して、この発明の表示装置に接続する必要はない。すなわち、従来のように、同一の外部機器に接続された２本のケーブルは、同一番号が付与された映像入力端子と音声入力端子に接続する必要はない。
たとえば、利用者は特に入力端子群１１の端子番号を確認せずに、あるパソコンＰＣ１の映像出力端子と、映像端子群１１−１の中の映像入力端子ＶＴ１（端子番号１）とを映像用ケーブルで接続し、そのパソコンＰＣ１の音声出力端子と、音声端子群１１−２の中のたまたま空いていた音声入力端子ＡＴ５（端子番号５）とを音声用ケーブルで接続してもよい。
【００２８】
この発明の入力端子群に属する各映像入力端子と各音声入力端子とは、予め対とする対応付けがされていないものとする。対応付けは、出荷時に初期設定されていてもよいが、初期的な対応付けをする必要はない。この発明では、実際の使用時において、動的に、映像と音声の入力端子の対応付けが行われ、また、その後変更できる。
【００２９】
この発明では、パソコンＰＣなどの外部機器から出力される１対の映像信号と音声信号とが、ほぼ同時のタイミングで入力されることを考慮して、あるタイミングｔｉですべての入力端子について信号入力の有無をチェックし、映像信号と音声信号の入力があることが検出された１つの映像入力端子と１つの音声入力端子とを、一対とする対応付けを行う。その対応付けの詳細については、後述する。
【００３０】
図１において、表示装置は、入力された映像信号ＶＤを表示させるための機能ブロック、すなわち映像端子選択部１，映像端子検出部２，映像処理部５，表示部６を備える。
また、入力された音声信号ＡＤを出力させるための機能ブロック、すなわち音声端子検出部３，音声端子選択部４，音声処理部９，音声再生部１０を備える。
映像端子選択部１と音声端子選択部４とが、上記した選択部に相当する。
さらに、利用者が、各種設定情報の入力や、入力された映像および音声の選択操作を行うための操作部８と、この発明の表示装置の各機能を実行させるための情報を記憶した記憶部２０を備える。
【００３１】
また、この発明の各機能ブロックを動作させるための制御部７を備える。
制御部７は、主として、ＣＰＵ，ＲＯＭ，ＲＡＭ，Ｉ／Ｏコントローラ，タイマーなどからなるマイクロコンピュータにより実現され、ＲＯＭやハードディスクなどの記憶部２０に記憶された制御プログラムに基づいて、ＣＰＵが各種ハードウェアを有機的に動作させることにより、各機能を実現させる。上記した対応付け部は、制御部の１つの機能として実現される。
【００３２】
映像端子選択部１は、制御部７からの指示により、映像端子群１１−１の複数の映像入力端子の中からいずれか１つの映像入力端子を選択する部分である。また、操作部によって指定された映像信号があった場合、その指定された映像信号が出力されるように、入力端子群の中の映像端子群１１−１の中から、その指定された映像信号が入力されている映像入力端子を選択する部分である。
【００３３】
また、映像端子選択部１は、選択した映像入力端子に入力されている映像信号（選択映像信号ＳＶＤ）を、映像処理部５へ出力する部分である。
たとえば、映像端子群１１−１の３つの映像入力端子ＶＴ１，ＶＴ３，ＶＴ５に、それぞれ外部機器からの映像信号ＶＤ１，ＶＤ３，ＶＤ５が入力されていた場合に、映像端子選択部１によって、映像入力端子ＶＴ３が選択されたとすると、その端子ＶＴ３に入力されていた映像信号ＶＤ３が、選択映像信号ＳＶＤとして映像処理部５へ出力される。映像端子選択部１は、たとえば、アナログスイッチ，リレー，ソレノイドスイッチのようなハードウェアにより実現される。
【００３４】
映像端子検出部２は、映像端子群１１−１のＭ個の映像入力端子（ＶＴ１，ＶＴ２，…ＶＴＭ）すべてに接続され、常時あるいは所定のタイミングに、各映像入力端子の使用状態を検出する部分であり、たとえば映像入力端子に入力される映像信号の有無を検出する部分である。
映像信号の入力の有無の検出は、たとえば、各端子内に設けられた機械的スイッチのＯＮ／ＯＦＦや、電気的に信号の電圧や電流の有無を検出することにより行えばよい。映像信号が入力されていることを検出した場合、その検出された映像入力端子は使用状態であると判断される。
【００３５】
また、たとえば映像入力端子ＶＴ２に、映像信号が入力されていることを検出した場合、その映像入力端子の番号（ＶＴ２）と、入力がＯＦＦ（無）からＯＮ（有）になったことと、映像同期信号情報などを含む映像検出信号（ＶＳ）が、制御部７へ出力される。
映像端子検出部２は、たとえば、コンパレータ、同期信号分離回路のようなハードウェアにより実現される。
また、映像端子検出部２は、使用状態の検出のために、上記した機械的スイッチを用いて、映像入力端子に接続される映像用ケーブルの接続の有無を検出してもよい。この場合、映像用ケーブルの接続があることを検出した場合に、その検出された映像入力端子が使用状態であると判断される。
【００３６】
図３に、この発明の映像端子群１１−１と音声端子群１１−２の接続関係と、入力信号の説明図を示す。
映像端子群１１−１の各映像入力端子（ＶＴ１〜ＶＴＭ）は、いずれも映像端子選択部１と映像端子検出部２に接続される。
【００３７】
映像処理部５は、選択された映像信号（ＳＶＤ）を受けて、その映像信号に対応した画像データを生成して表示部６に出力する部分である。
表示部６は、画像データを表示する部分であり、たとえば、ＣＲＴ，ＬＣＤパネル，ＰＤＰパネルなどが用いられる。
【００３８】
音声端子選択部４は、制御部７からの指示により、音声端子群１１−２の中のいずれか１つの音声入力端子を選択する部分であり、選択した音声入力端子に入力されている音声信号（選択音声信号ＳＡＤ）を、音声処理部９へ出力する部分である。音声端子選択部４も、映像端子選択部１と同様に、スイッチなどが用いられる。
【００３９】
音声端子検出部３は、音声端子群１１−２のＮ個の音声入力端子（ＡＴ１，ＡＴ２，…ＡＴＮ）すべてに接続され、常時あるいは所定のタイミングに、各音声入力端子の使用状態を検出する部分であり、たとえば音声入力端子に入力される音声信号の有無を検出する部分である。
音声端子検出部３は、アナログスイッチ、リレー、オペアンプ、コンパレータのようなハードウェアで実現され、音声信号の有無の検出は、たとえば、各端子内に設けられた機械的スイッチのＯＮ／ＯＦＦや、電気的に信号の電圧や電流の有無を検出することにより行えばよい。
音声信号が入力されていることを検出した場合、その検出された音声入力端子は使用状態であると判断される。
【００４０】
また、たとえば、音声入力端子ＡＴ７に音声信号が入力されていることを検出した場合、その音声入力端子の番号（ＡＴ７）と、入力がＯＦＦ（無）からＯＮ（有）になったことと、信号レベル情報などを含む音声検出信号（ＡＳ）が、制御部７へ出力される。
また、音声端子検出部３は、使用状態の検出のために、上記した機械的スイッチを用いて、音声入力端子に接続される音声用ケーブルの接続の有無を検出してもよい。この場合、音声用ケーブルの接続があることを検出した場合に、その検出された音声入力端子が使用状態であると判断される。
【００４１】
制御部７が、この音声検出信号（ＡＳ）と、上記した映像検出信号（ＶＳ）とを、あるタイミングｔｉで検出したとき、映像信号が入力された映像入力端子と、音声信号が入力された音声入力端子とを対応付ける。
すなわち、制御部７は、対応付け部として機能し、所定のタイミング（ｔｉ）に、映像端子検出部２によって使用状態であることが検出された映像入力端子ＶＴｍと、音声端子検出部３によって使用状態であることが検出された音声入力端子ＡＴｎとを、対応付ける。
【００４２】
また、制御部７は、この対応付けられた映像入力端子ＶＴｍと音声入力端子ＡＴｎとがある場合において、映像入力端子ＶＴｍに入力された映像信号と、音声入力端子ＡＴｎに入力された音声信号のいずれか一方を出力するときに、記憶部に記憶された対応情報によって対応付けられた他方の映像信号または音声信号も同時に出力する。
さらに、選択部によって映像入力端子または音声入力端子のいずれか一方が選択された場合も同様に、制御部７は、対応情報に基づいて、上記選択された映像入力端子または音声入力端子と対応付けられた音声入力端子または映像入力端子を選択して対応付け、その選択により対応付けられた映像入力端子と音声入力端子に対して入力されている映像信号と音声信号とを出力する。
【００４３】
図３において、音声端子群１１−２の各音声入力端子（ＡＴ１〜ＡＴＮ）も、いずれも音声端子選択部４と音声端子検出部３に接続される。
音声処理部９は、選択された音声信号（ＳＡＤ）を受けて、その音声信号に対応した音声データを生成して、音声再生部１０に出力する部分である。
音声再生部１０は、音声を出力する部分であり、スピーカに相当する。
操作部８は、各種情報を入力する部分であり、キーボード，マウス，トラックボール，タッチパネルなどの入力デバイスによって実現される。
また、操作部８は、制御部７が出力すべき映像信号または音声信号のいずれか一方を指定する部分である。
【００４４】
記憶部２０は、種々の情報を記憶する部分であり、ＲＯＭ，ＲＡＭなどの半導体メモリの他、ＣＤ，ＤＶＤなどの記憶媒体やハードディスクなどの記憶装置が用いられる。
利用者が設定した情報など、書き換えされ消えては困る情報は、ハードディスクやフラッシュメモリなどの不揮発性の書き換え可能なメモリに記憶される。
図２に、この発明の記憶部２０に記憶される主要な情報の一実施例の説明図を示す。
【００４５】
図２において、最新使用状態記憶テーブル２１は、入力端子群１１の現在の使用状態（使用状態情報）を、各入力端子（ＶＴ１〜Ｍ，ＡＴ１〜Ｎ）ごとに記憶したものである。
ここで使用状態とは、ある入力端子にケーブルが接続されており、その入力端子を介して映像信号または音声信号が入力されている状態を意味する。一方、これらの信号が入力されていない使用状態や、ケーブルが接続されていない状態が未使用状態である。
最新使用状態とは、映像又は音声の端子検出部（２，３）によって、最も最近検出された使用状態を意味する。
この記憶テーブル２１は、映像端子用の使用状態情報ＵＶ（ｍ）と、音声端子用の使用状態情報ＵＡ（ｎ）とからなる。
【００４６】
ここで、各使用状態情報の値は、０と１のいずれかの値を持つものとし、０は、現在未使用状態（又は未接続）であることを示し、１は、現在使用状態（又は信号検出有状態）であることを示している。
たとえば、図２において、映像入力端子ＶＴ１の使用状態（ＵＶ（１）＝１）は、現在この端子ＶＴ１にケーブルが接続され、使用されていることを示している。
また、音声入力端子ＡＴ１の使用状態（ＵＡ（１）＝０）は、この端子ＡＴ１に音声信号が入力されておらず、現在未使用状態であることを示している。
【００４７】
図２において、変更有無管理テーブル２２は、入力端子群１１の使用状態に変化があったか否かを示す情報（変更情報）を、各入力端子（ＶＴ１〜Ｍ，ＡＴ１〜Ｎ）ごとに記憶したものである。
ここで変更情報とは、ある２つのタイミングで検出された使用状態に変化があったか否かを示す情報であり、映像端子用の情報（ＣＭ（ｍ））と、音声端子用の情報（ＣＮ（ｎ））とからなる。
ここで、各変更情報の値は、０と１のいずれかの値を持ち、０は変化がないことを意味し、１は変化があったことを意味する。
【００４８】
たとえば、図２の管理テーブル２２において、ＣＭ（１），ＣＭ（２），ＣＭ（３）およびＣＭ（４）は０であるので、これらに対応する４つの映像入力端子（ＶＴ１〜ＶＴ４）では、使用状態の変化はないことを意味する。一方、ＣＭ（Ｍ）＝１，ＣＮ（Ｎ）＝１であるので、これらに対応する映像入力端子ＶＴＭと、音声入力端子ＡＴＮにおいて、使用状態が変化したことを意味する。
【００４９】
また、変化があったことをチェックする２つのタイミングは、原則として最も最近チェックした最新使用状態と、その１回前にチェックした使用状態の２つのタイミングとする。
この変化があったことをチェックするタイミングは、上記した所定のタイミング（ｔｉ）に相当し、使用状態を検出するタイミングでもあり、対応付けを行うタイミングでもある。
【００５０】
ただし、タイミングはこれに限るものではなく、他のタイミングでもよい。
たとえば、変化をチェックする一方のタイミングは最新の使用状態情報を記憶する時とするが、他方のタイミングは、この表示装置の電源を投入した時（電源をＯＦＦからＯＮにした時）としてもよい。
【００５１】
あるいは、他方のタイミングとしては、利用者が表示装置の設定を変更し、その設定内容を記憶部２０に保存する時や、２つの検出部（２，３）のどちらかによって使用状態が変化したことを検出した時や、利用者が表示装置を使用中に、操作部によって出力すべき映像信号または音声信号のいずれか一方を切り替える指定をした時などでもよい。
この記憶テーブル２２の変更情報（ＣＭ（ｍ），ＣＮ（ｎ））は、後述するように、利用者が、ケーブルの接続を変更したときや、新たなケーブルを入力端子に接続したときのその入力端子の位置の検出に用いる。
【００５２】
図２において、使用状態参照テーブル２３は、以前、上記のような所定のタイミングで検出された各入力端子（ＶＴ１〜Ｍ，ＡＴ１〜Ｎ）の使用状態を記憶したものである。
たとえば、以前利用者が新しいケーブルを接続し、その後表示装置の電源を投入したときに検出された使用状態を記憶したものである。この使用状態も、映像端子用の情報（ＴＶ（ｍ））と、音声端子用の情報（ＴＡ（ｎ））とからなり、０が未使用状態（又は未接続）であることを意味し、１が、以前使用状態をチェックしたタイミングにおいて使用状態（又は信号検出有状態）であったことを意味する。
【００５３】
図２において、端子対応管理テーブル２４は、音声入力端子（ＡＴ１〜Ｎ）の番号（１，２，…Ｎ）と、映像入力端子（ＶＴ１〜Ｍ）の番号（１，２，…Ｍ）とを対応付けた対応情報（ＴＣ（ｍ，ｎ））を記憶したテーブルである。ｍは映像端子の番号、ｎは音声端子の番号である。ここで、対応情報とは、映像入力端子と音声入力端子とが対応付けられたことを示す情報である。
図の中の「１」の対応情報の部分は、音声入力端子（ＡＴｎ）と映像入力端子（ＶＴｍ）とが対応付けられていることを示し、「０」の部分は対応付けられていないことを示している。
たとえば、映像入力端子ＶＴ３と、音声入力端子ＡＴ３との交差点の対応情報ＴＣ（３，３）は「０」であるが、これは、その音声入力端子ＡＴ３と映像入力端子ＶＴ３とは対応付けられていないことを意味する。
【００５４】
また、映像入力端子ＶＴ１と、音声入力端子ＡＴ４との交差点の対応情報ＴＣ（１，４）は「１」であるが、これは、その音声入力端子ＡＴ４と映像入力端子ＶＴ１とが対応付けられていることを意味する。
このように対応付けられた映像と音声の入力端子（ＶＴ１，ＡＴ４）にそれぞれ入力されている映像信号（ＶＤ１）と音声信号（ＡＤ４）とは、それらが選択されたときには、同時に、それぞれ表示部６と音声再生部１０に出力される。すなわち、接続された入力端子の位置にかかわらず、この管理テーブル２４で対応付けられた映像と音声とを、表示装置で視聴することができる。
【００５５】
図２の管理テーブル２４の例では、ＴＣ（１，４），ＴＣ（２，３），ＴＣ（３，２）の３つが「１」となっており、それぞれ映像入力端子と音声入力端子のペア（ＶＴ１，ＡＴ４），（ＶＴ２，ＡＴ３），（ＶＴ３，ＡＴ２）が対応付けられていることを示している。
【００５６】
ここで、所定の同一時間に使用状態であることが検出された１つの映像入力端子ＶＴｍと１つの音声入力端子ＡＴｎとがある場合、この１つの映像入力端子ＶＴｍと１つの音声入力端子ＡＴｎとを対応付けるように、その対応情報ＴＣ（ｍ，ｎ）に「１」が設定される。
ただし、後述するように、同一の音源（たとえば１つのビデオレコーダ）から出力されたアナログ音声信号とデジタル音声信号を入力する入力端子を別々に設けている場合、すなわち、アナログ音声信号を入力するアナログ音声入力端子と、デジタル音声信号を入力するデジタル音声入力端子とがある場合、所定の同一時間に使用状態であることが検出された１つの映像入力端子と、同一音源から出力された２種類（アナログ，デジタル）の音声信号の入力があることが検出されたアナログ音声入力端子およびデジタル音声入力端子からなる２つの音声入力端子とを対応付けてもよい。
【００５７】
このとき、実際にスピーカから出力されるのは、アナログ音声かデジタル音声のどちらか一方なので、デジタル音声入力端子を、アナログ音声入力端子よりも優先することを示すように、対応情報を記憶部に記憶することが好ましい。
たとえば、対応情報の値を、アナログ音声入力端子とデジタル音声入力端子とでは別の値に設定することが好ましい。
【００５８】
図２の変更端子数２５は、入力端子の使用状態を検出したときに使用状態情報の値が一致しない入力端子の数を記憶した変数である。
図２のＣＶが映像端子用の変更端子数であり、ＣＡが音声端子用の変更端子数である。
ここで、変更端子数２５（ＣＶ，ＣＡ）は、参照テーブル２３に記憶されていた使用状態の値と、最新の記憶テーブル２１に記憶された使用状態の値とが一致しない入力端子の数を意味し、言いかえれば、使用状態を検出した２つのタイミングにおいて、使用状態が変更された入力端子の数を意味する。
【００５９】
＜入力端子の検出処理と対応付けの概略説明＞
ここでは、映像入力端子と音声入力端子から入力される信号を検出することにより、両入力端子相互間の対応付けを行う処理の一実施例について、その概略を説明する。
図４に、映像入力端子と音声入力端子に入力される信号の検出と接続状態の一実施例の説明図を示す。
図４において、この発明の表示装置は、Ｍ個の映像入力端子（ＶＴ１〜ＶＴＭ）と、Ｎ個の音声入力端子（ＡＴ１〜ＡＴＮ）とを備えるものとし、各映像入力端子（ＶＴ１〜ＶＴＭ）に入力される映像信号をそれぞれＶＤ１〜ＶＤＭとし、各音声入力端子（ＡＴ１〜ＡＴＮ）に入力される音声信号をそれぞれＡＤ１〜ＡＤＮとする。
また、時間ｔ０〜ｔ４は、２つの検出部（２，３）によって各入力端子に入力される信号を検出するタイミング、あるいは各入力端子に接続されるケーブルの接続の有無を検出するタイミングを示している。
【００６０】
図４（ａ）は、入力される映像信号と音声信号を電気的に検出する場合を示しており、図４（ｂ）は、各入力端子に備えられたスイッチのＯＮ（接続）またはＯＦＦ（非接続）によって機械的にケーブルの接続を検出する場合を示している。
図５に、図４に示した５つのタイミング（時間ｔ０〜ｔ４）における端子対応管理テーブル２４の対応情報ＴＣ（ｍ，ｎ）の値を示す。
【００６１】
図４（ａ）において、まず２つの検出部（２，３）が、時間ｔ０のタイミングにおいて、すべての映像信号と音声信号とについて、入力信号の有無をチェックする。たとえば、映像信号が入力されていることは、同期信号を含む信号レベルを見ることにより検出される。
また、音声信号が入力されていることは、アナログ入力であれば信号レベル、デジタル入力であれば搬送信号を見ることにより検出される。
一方、図４（ｂ）では、時間ｔ０において、各入力端子のスイッチがＯＮになっているか否かチェックし、このスイッチがＯＮになっている場合に、そのスイッチに対応する入力端子が接続状態であると判断する。
【００６２】
この時間ｔ０において、すべての映像信号と音声信号とが入力されていないことが検出されたとすると、最新の記憶テーブル２１の使用状態情報（ＵＶ（ｍ），ＵＡ（ｎ））は、すべてゼロに設定され、図５（ａ）に示すように、すべてのＴＣ（ｍ，ｎ）の値はゼロに設定される。
また、参照テーブル２３の各使用状態（ＴＶ（ｍ），ＴＡ（ｎ））の値も、いずれもゼロであったとすると、変化がないと認識される。
【００６３】
次に、時間ｔ１のタイミングにおいて、同様にすべての入力信号の有無をチェックする。この時間ｔ１のとき、映像入力端子ＶＴ１と音声入力端子ＡＴ４とに、それぞれ、映像信号（ＶＤ１）と音声信号（ＡＤ４）が入力されていたとする。この場合、ｍ＝１，ｎ＝４である。
【００６４】
ここで、最新の記憶テーブル２１の中で、映像端子ＶＴ１に対する使用状態ＵＶ（１）が１にセットされ、音声端子ＡＴ４に対する使用状態ＵＡ（４）が１にセットされる。
また、参照テーブル２３の各数値（ＴＶ（ｍ），ＴＡ（ｎ））と、対応する最新の記憶テーブル２１の各数値（ＵＶ（ｍ），ＵＡ（ｎ））とが比較される。このとき、両テーブル（２１，２３）の数値が異なる部分の使用状態に、変化があったと判断され、管理テーブル２２の中のＣＭ（１）が１にセットされ、ＣＮ（４）が１にセットされ、２つの変更端子数（ＣＶ，ＣＡ）に１が加算され、ともに１となる。
これにより、時間ｔ１のときに、映像信号が新たに映像端子ＶＴ１に入力され、音声信号が新たに音声端子ＡＴ４に入力され、使用状態が変更された端子の数が、映像および音声とも１つあることがわかる。
【００６５】
以上の状態において、同じ時間ｔ１で入力が変更された映像端子（ＶＴ１）と音声端子（ＡＴ４）とが１つずつ存在するので、その変更のあった端子どおしが対応する端子であると判断され、対応付けが行われる。
すなわち、映像端子ＶＴ１（ｍ＝１）と、音声端子ＡＴ４（ｎ＝４）とが対応付けられ、図５（ｂ）に示すように、管理テーブル２４のＴＣ（１，４）が「１」にセットされる。
【００６６】
以上のように、時間ｔ１の状態では、利用者が、この表示装置の番号１の映像入力端子（ＶＴ１）に、ある外部機器の映像出力ケーブルを接続し、表示装置の番号４の音声入力端子（ＡＴ４）に、その同じ外部機器の音声出力ケーブルを接続したものと判断され、これらのケーブルを介して入力される映像信号と音声信号とが対応付けられることになる。この後、たとえば、利用者によって映像入力端子ＶＴ１が選択されたとすると、映像入力端子ＶＴ１から入力された映像信号ＶＤ１が、表示部６に表示されるとともに、対応付けられた音声入力端子ＡＴ４から入力された音声信号ＡＤ４が、音声再生部１０から出力される。
【００６７】
次に、図４の時間ｔ２のタイミングにおいて、同様に、すべての入力信号の有無をチェックする。
この時間ｔ２のとき、すでに入力されている上記映像信号ＶＤ１と音声信号ＡＤ４に加えて、映像入力端子ＶＴ３と音声入力端子ＡＴ２とに、それぞれ映像信号ＶＤ３（ｍ＝３）と音声信号ＡＤ２（ｎ＝２）とが入力されていたとする。
このとき、すでに対応付けられていた端子（ＶＴ１，ＡＴ４）の入力信号には変化はなかったが、映像入力端子ＶＴ３と音声入力端子ＡＴ２とには変化が検出されたので、最新の記憶テーブル２１のＵＶ（３）とＵＡ（２）とが、１にセットされ、管理テーブル２２のＣＭ（３）とＣＮ（２）とが１にセットされる。
その後、これらのセットされた情報をもとに、映像端子と音声端子との対応付けが行われる。この場合、映像端子ＶＴ３と音声端子ＡＴ２とが対応付けられ、図５（ｃ）に示すように、管理テーブル２４のＴＣ（３，２）に、新たに「１」がセットされる。
【００６８】
以上より、時間ｔ２の状態では、ＴＣ（１，４）とＴＣ（３，２）について、映像端子と音声端子の２つのペアの対応付けが行われていることになる。
いずれも、対応付けられた映像端子と音声端子の番号は同じ番号ではないが、対応付けによって同じ外部機器から出力された映像と音声が、同時に表示装置の表示部と音声再生部から出力されるので、利用者が意識して、従来のように予め同じ番号が付与された入力端子に、映像用ケーブルと音声用ケーブルを接続しなくてもよいことがわかる。
【００６９】
次に、図４の時間ｔ３のタイミングにおいて、同様に、すべての入力信号の有無をチェックする。
この時間ｔ３のとき、さらに、映像信号ＶＤ２と音声信号ＡＤ３とが、それぞれ映像入力端子ＶＴ２（ｍ＝２）と、音声入力端子ＡＴ３（ｎ＝３）に入力されていたとする。
このとき、映像端子ＶＴ２と音声端子ＡＴ３とに変化があったことが検出され、上記と同様にして、ＵＶ（２），ＵＡ（３）に１がセットされ、ＣＭ（２）とＣＮ（３）に１がセットされる。そして、映像端子と音声端子との対応付けが行われ、新たに信号が入力された映像端子ＶＴ２と音声端子ＡＴ３とが対応付けられ、図５（ｄ）に示すように、管理テーブル２４のＴＣ（２，３）に「１」がセットされる。
ここで、ＴＣ（１，４）とＴ（３，２）は、「１」のままである。
以上の処理により、現在３組の映像信号と音声信号のペアが対応付けられたことになる。
【００７０】
次に、図４の時間ｔ４のタイミングにおいて、同様に、すべての入力信号の有無をチェックする。
この時間ｔ４のとき、今まで入力されていた３つの映像信号（ＶＤ１，ＶＤ２，ＶＤ３）と、３つの音声信号（ＡＤ２，ＡＤ３，ＡＤ４）とがいずれも入力されなくなったとし、映像信号ＶＤＭ（ｍ＝Ｍ）と音声信号ＡＤＮ（ｎ＝Ｎ）とが、それぞれ映像入力端子（ＶＴＭ）と音声入力端子（ＡＴＮ）とから入力されていたとする。
このとき、４組の入力端子（４つの映像端子，４つの音声端子）いずれにおいても、入力端子の使用状態に変化があったことが検出される。
【００７１】
すでに対応付けがされている３つの入力端子（ＶＴ１とＡＴ４），（ＶＴ２とＡＴ３），（ＶＴ３とＡＴ２）については、入力信号の有りの状態から無しの状態への変化が検出され、入力端子（ＶＴＭとＡＴＮ）については、入力無の状態から入力有の状態への変化が検出される。
この場合は、現在の使用状態を示したＵＶ（１），ＵＶ（２），ＵＶ（３）が０にセットされ、ＵＶ（Ｍ）が１にセットされる。また、ＵＡ（２），ＵＡ（３），ＵＡ（４）が０にセットされ、ＵＡ（Ｎ）が、１にセットされる。
さらに、ＣＭ（１），ＣＭ（２），ＣＭ（３），ＣＭ（Ｍ），ＣＮ（２），ＣＮ（３），ＣＮ（４），ＣＮ（Ｎ）が、１にセットされる。
そして、これらのセットされた情報を用いて、映像端子と音声端子との対応付けが行われ、対応管理テーブル２４がセットされる。
【００７２】
時間ｔ＝４では、以前１にセットされていた３つの対応付け（ＴＣ（１，４），ＴＣ（２，３），ＴＣ（３，２））が解消され、新たに映像端子ＶＴＭ（ｍ＝Ｍ）と音声端子ＡＴＮ（ｎ＝Ｎ）とが対応付けられる。ここで、図５（ｅ）に示すように、ＴＣ（１，４），ＴＣ（２，３），ＴＣ（３，２）は「０」にセットされ、ＴＣ（Ｍ，Ｎ）のみが、「１」にセットされる。
この後は、映像入力端子ＶＴＭと音声入力端子ＡＴＮに、それぞれ入力された映像信号ＶＤＭと音声信号ＡＴＮとが、同時に表示部６と音声再生部１０とから出力されることになる。
以上、図４（ａ）をもとに説明したが、図４（ｂ）の場合も、同様に、入力端子の検出と対応付けが行われる。
【００７３】
＜入力端子の検出処理と対応付け処理のフローチャート＞
図６に、この発明の表示装置における入力端子の検出と、対応付け処理の概略を示す一実施例のフローチャートを示す。
まず、ステップＳ１０１において、以前の使用状態情報を読み出す。
ここでは、制御部７が、記憶部２０の使用状態参照テーブル２３に記憶されている各入力端子の使用状態情報ＴＶ（ｍ），ＴＡ（ｎ）を読み出す。
【００７４】
ステップＳ１０２において、現在の入力端子の使用状態を検出する。
ここでは、２つの検出部（２，３）によって、映像端子（ＶＴ１〜ＶＴＭ）と、音声端子（ＡＴ１〜ＡＴＮ）の使用状態をチェックし、最新使用状態記憶テーブル２１の使用状態情報ＵＶ（ｍ），ＵＡ（ｎ）をセットする。使用状態の検出は、上記したように、電気的な信号の有無や、機械的なスイッチのＯＮ／ＯＦＦをチェックすることにより行う。
そして、使用されていると判断された場合は、その入力端子に対応する最新の使用状態情報を「１」にセットし、一方使用されていないと判断された場合は、その情報を「０」にセットする。
【００７５】
ステップＳ１０３において、入力端子の使用状態に変化があったか否か、チェックする。
ここでは、ステップＳ１０１で読み出した情報（ＴＶ（ｍ），ＴＡ（ｎ））と、ステップＳ１０２でセットした情報（ＵＶ（ｍ），ＵＡ（ｎ））との値を比較し、異なる場合は変化があったと判断し、一致した場合は変化がなかったと判断する。
そして、変化があったと判断された入力端子に対応する変更情報（ＣＭ（ｍ），ＣＮ（ｎ））を「１」にセットし、変更端子数（ＣＶ，ＣＡ）２５をインクリメントする。
一方、変化がない入力端子の変更情報は「０」にセットされる。
【００７６】
ステップＳ１０４において、入力端子の対応付け処理を行う。
ここでは、ステップＳ１０３でセットされた情報を用いて、変化があったと判断された映像端子と音声端子との対応付けを行う。そして、対応付けが行われた映像端子と音声端子に関係する対応情報ＴＣ（ｍ，ｎ）を「１」にセットする。
【００７７】
ステップＳ１０５において、上記対応付けの確認処理を行う。
ここでは、映像端子と音声端子の対応付けが正しいか否かを、利用者に確認してもらうために、確認要求メッセージと共に、対応付けられた映像端子に入力されている映像を表示部６に表示し、かつ対応付けられた音声端子に入力されている音声を音声再生部１０から出力する。たとえば、「映像入力端子１と音声入力端子４との対応付けを行いますが、これでよろしいですか」というようなメッセージを表示する。
出力された映像と音声のペアが正しく対応付けられたものである場合は、たとえば、正常であることを示すキー入力等の操作を、利用者にしてもらい、そのまま処理を終了する。
【００７８】
一方、映像と音声の対応付けがまちがっている場合、利用者に対応付け不可を意味するキー入力等の操作をして対応する映像端子と音声端子の番号を入力してもらうか、あるいは、再度対応付け処理をやり直す。
また、所定のタイミングに使用状態を検出したときに、使用状態であることが検出された映像入力端子および音声入力端子のどちらも複数個ある場合や、検出された映像入力端子と音声入力端子のいずれか一方が複数個ある場合は、対応付けが一意にできないので、利用者に、どの映像入力端子とどの音声入力端子とを対応付けるかを問合せるようにすることが好ましい。
【００７９】
以下に、上記ステップＳ１０２，Ｓ１０３およびＳ１０４の詳細フローチャートを示す。
図７に、現在の入力端子の状態を検出する処理（Ｓ１０２）の一実施例のフローチャートを示す。
まず、ステップＳ２００からＳ２０６において、映像端子（ＶＴ１〜ＶＴＭ）についての使用状態をチェックする。
ステップＳ２００において、映像端子番号ｍを、１に初期化する。
ステップＳ２０１において、映像端子ｍに映像信号が入力されているか否かをチェックする。たとえば、映像信号の入力に相当する信号電圧や電流の有無を検出し、所定の電圧値や電流値が検出されたとき、その映像端子ｍに、入力があったと判断する。
【００８０】
ステップＳ２０２において、入力の有無（あるいは使用状態か否か）を判断する。入力有りと判断されたとき、ステップＳ２０３へ進み、入力端子ｍの現在の使用状態情報ＵＶ（ｍ）を「１」にセットする。
一方、入力無しと判断されたとき、ステップＳ２０４へ進み、入力端子ｍの現在の使用状態情報ＵＶ（ｍ）を「０」にセットする。
ステップＳ２０５において、次の入力端子を調べるために、端子番号ｍに１を加える。
ステップＳ２０６において、ｍ≦Ｍのとき、ステップＳ２０１へ戻り、ｍ＞Ｍとなったとき、ステップＳ２１０へ進む。Ｍは、表示装置が持つ映像入力端子の数であり、固定値である。
【００８１】
ステップＳ２１０からＳ２１６においては、音声端子（ＡＴ１〜ＡＴＮ）についての使用状態をチェックする。
ステップＳ２１０からＳ２１６の各ステップは、上記したステップＳ２００からＳ２０６にそれぞれ対応する。
ここで、変数ｍをｎに置きかえ、ＵＶ（ｍ）をＵＡ（ｎ）に、ＭをＮに、映像を音声に読みかえるだけで、各ステップの処理内容は同様である。
これにより、音声信号の入力があった音声端子の最新の使用状態情報ＵＡ（ｍ）に「１」がセットされ、入力のなかった音声端子のＵＡ（ｍ）には「０」がセットされる。Ｎは、表示装置が持つ音声入力端子の数であり、固定値である。
この図７の処理により、すべての入力端子の現在の使用状態がチェックされ、その最新の使用状態情報が記憶される。
【００８２】
図８に、入力端子の使用状態の変化の有無をチェックする処理（Ｓ１０３）のフローチャートを示す。
ステップＳ４００からＳ４０８において、映像端子（ＶＴ１〜ＶＴＭ）についての変化の有無をチェックする。
ステップＳ４００において、変更端子数ＣＶを、ゼロに初期化する。
ステップＳ４０１において、映像端子番号ｍを、１に初期化する。
【００８３】
ステップＳ４０２において、映像端子の２つの使用状態情報を比較する。
すなわち、映像端子ｍについて、以前の使用状態情報ＴＶ（ｍ）と、最新の使用状態情報ＵＶ（ｍ）とを比較する。両情報が一致するときは、使用状態に変化がなかったことを意味し、異なるときは、使用状態に変化があったことを意味する。
【００８４】
ステップＳ４０３において、両情報（ＵＶ（ｍ），ＴＶ（ｍ））が一致したか否かチェックする。
一致した場合、ステップＳ４０４へ進み、変化がなかったことを示すために、その入力端子ｍの変更情報ＣＭ（ｍ）に、ゼロをセットする。一致しなかった場合、ステップＳ４０５へ進み、映像信号の変更端子数ＣＶをインクリメントし、ステップＳ４０６において、変更情報ＣＭ（ｍ）に、変化があったことを示す「１」をセットする。
ステップＳ４０７において、次の入力端子を調べるために、端子番号ｍに、１を加える。
ステップＳ４０８において、ｍ≦Ｍのとき、ステップＳ４０２へ戻り、ｍ＞Ｍとなったとき、ステップＳ４１０へ進む。
ここまでの処理で、映像端子について、使用状態に変化があった端子の位置と、変化のあった端子数が求められる。
【００８５】
ステップＳ４１０からステップＳ４１８においては、音声端子（ＡＴ１〜ＡＴＮ）についての変化の有無をチェックする。ステップＳ４１０からＳ４１８は、それぞれＳ４００からＳ４０８と対応する。
ここで、ＣＶをＣＡに、ｍをｎに、ＵＶ（ｍ）をＵＡ（ｎ）に、ＴＶ（ｍ）をＴＡ（ｎ）に、ＣＭ（ｍ）をＣＮ（ｎ）に読みかえるだけで、ステップＳ４１０からＳ４１８の処理内容は、ステップＳ４００からＳ４０８の処理内容と同様である。
これにより、音声端子について、使用状態に変化があった端子の位置と、変化のあった端子数が求められる。
以上の図８の処理により、現在において、使用状態に変化のあった入力端子の位置がチェックされ、その位置を示す変更情報と、変更のあった端子の数が記憶される。
【００８６】
図９に、入力端子の対応付け処理（Ｓ１０４）のフローチャートを示す。
ここでは、端子対応管理テーブル２４の各対応情報ＴＣ（ｍ，ｎ）の値がセットされる。
原則として、対応付けが行われた映像端子の番号ｍと音声端子の番号ｎとの交差点のＴＣ（ｍ，ｎ）に、「１」がセットされる。また、入力信号の入力がないので対応付けがされていない場合や、あるいは以前対応付けされていたが現在対応付けが解消されている場合は、両端子の番号（ｍ，ｎ）の交差点のＴＣ（ｍ，ｎ）に、「０」がセットされる。
【００８７】
まず、ステップＳ６００において、映像端子の変更端子数ＣＶがゼロであるか否か、チェックする。ゼロでない場合、ステップＳ６０１へ進み、ゼロのときステップＳ６１７へ進む。たとえば、図４のｔ１，ｔ２，ｔ３およびｔ４のタイミングでは、いずれも使用状態に変化があるので、ステップＳ６００からＳ６１７へ進む。
ステップＳ６０１において、音声端子の変更端子数ＣＡがゼロであるか否か、チェックする。ここで、ゼロのとき、すべての入力端子には変化がなかったので、処理を終了する。たとえば、図４のｔ０のタイミングでは図５（ａ）となり、処理を終了する。一方、ゼロでない場合、ステップＳ６０２へ進む。
【００８８】
ステップＳ６０２からＳ６１６までの処理は、映像端子には入力の変化がなく、音声端子のいずれかに入力の変化があった場合の対応付け処理である。
【００８９】
ステップＳ６０２において、音声端子番号ｎを、１に初期化する。
ステップＳ６０３において、管理テーブル２２の中の音声端子の変更情報ＣＮ（ｎ）が「１」であるか否かチェックする。すなわち、現在の番号ｎの音声端子に入力（使用状態）の変化があったか否かチェックする。
ここで、「１」のとき、その音声端子ＡＴｎに入力の変化があったので、ステップＳ６０４へ進む。一方、「０」のとき、その音声端子ＡＴｎは入力の変化がなかったので、次の音声端子を調べるために、ステップＳ６１５へ進む。
【００９０】
ステップＳ６０４において、変化のあった音声端子ＡＴｎを、対応付けを行う音声端子として選択する。
ステップＳ６０５において、映像端子番号ｍを、１に初期化する。
ステップＳ６０６において、映像端子ＶＴｍの最新の使用状態情報ＵＶ（ｍ）がゼロか否か、チェックする。すなわち、映像端子ＶＴｍの現在の使用状態（ＵＶ（ｍ））をチェックする。ここで、ＵＶ（ｍ）がゼロのとき、その映像端子ＶＴｍは現在使用されていないので、対応付けは行わず、ステップＳ６１１へ進む。
【００９１】
一方、ＵＶ（ｍ）がゼロでない場合、すなわちＵＶ（ｍ）＝１の場合、ステップＳ６０７へ進む。このとき、映像端子ＶＴｍの現在の使用状態が使用中であると判断されている。
ステップＳ６０７において、その映像端子ＶＴｍを、対応付けを行う映像端子として選択する。
ステップＳ６０８において、映像端子Ｖｔｍについて、映像信号が入力されているか否か、チェックする。このチェックは、端子にケーブルが接続されているが映像信号が入力されていない場合をチェックするために行うものである。
ステップＳ６０８において、映像信号が入力されていないとき、ステップＳ６１１へ進む。
一方、映像信号が入力されていると判断された場合、ステップＳ６０９へ進む。
【００９２】
ステップＳ６０９において、ステップＳ６０７で選択された端子番号ｍの映像入力端子ＶＴｍと、ステップＳ６０４で選択された端子番号ｎの音声入力端子ＡＴｎとを対応付けてよいか否かを、利用者に確認する。たとえば、「映像入力端子ｍと、音声入力端子ｎとを対応付けてもよいか」という旨のメッセージを表示部６に表示し、利用者に、確認の入力操作をすることをうながす。
ステップＳ６１０において、利用者によって、対応付けを許可する入力があったか否か、チェックする。許可することを意味する入力があったとき、ステップＳ６１２へ進み、許可の入力がなかったときは、ステップＳ６１１へ進む。
【００９３】
ステップＳ６１１では、対応付けが許可されなかったので、現在注目している映像端子ＶＴｍと音声端子ＡＴｎとの対応情報ＴＣ（ｍ，ｎ）を、ゼロにセットする。すなわち、その映像端子と音声端子との対応付けは行わない状態に設定する。その後、ステップＳ６１３へ進み、ｍの値をインクリメントする。
【００９４】
一方、ステップＳ６１２では、上記２つの端子（ＶＴｍ，ＡＴｎ）の対応付けを行い、この２つの端子間の対応情報ＴＣ（ｍ，ｎ）を、「１」にセットする。これにより、映像端子ＶＴｍと音声端子ＡＴｎとにそれぞれ入力される映像信号ＶＤｍと音声信号ＡＤｎとが対応付けられて、表示部６と音声再生部１０に、同時に出力されるようになる。
【００９５】
ステップＳ６１３において、次の映像端子をチェックするために、端子番号ｍがインクリメントされ、ステップＳ６１４において、ｍ≦Ｍか否か、チェックする。
ｍ≦Ｍの場合、ステップＳ６０６へ戻り、次の映像端子の使用状態をチェックする。
ｍ＞Ｍの場合、すべての映像端子のチェックが終了したので、ステップＳ６１５へ進み、音声端子の端子番号ｎをインクリメントする。
ステップＳ６１６において、ｎ≦Ｎか否かチェックする。ｎ≦Ｎの場合、ステップＳ６０３へ戻り、次の音声端子の使用状態をチェックする。
以上の処理Ｓ６０３からＳ６１６までの処理を、すべての音声端子について行い、変数ｎが音声端子の数Ｎを超えたとき、処理を終了する。
【００９６】
図９のステップＳ６００において、映像端子に変化があった場合、ステップＳ６１７へ進み、ステップＳ６０２からＳ６１６に示したのと同様に、ステップＳ６１７からＳ６３１において、端子間の対応付け処理が行われる。
ステップＳ６１７からＳ６３１の各ステップは、それぞれステップＳ６０２からＳ６１６に対応する。
また、変数ｎをｍに置きかえ、ＣＮ（ｎ）をＣＭ（ｍ）に、ＵＶ（ｍ）をＵＡ（ｎ）に、ＮをＭに読みかえ、ステップＳ６１９とＳ６２２で、音声と映像を逆に読みかえる。
以上の処理によっても、映像端子と音声信号の対応付けが行われる。
図４および図５の実施例の場合は、いずれも使用状態に変化があった映像端子と音声端子の番号が交差する部分の対応情報に、ステップＳ６２７で１がセットされる。
【００９７】
図９の処理では、音声信号としては、一般的なアナログ信号のみが入力される場合を示していた。しかし、今日では、アナログ音声信号の他に、デジタル音声信号の形式でも同じ音声が入力される場合がある。
すなわち、音声の入力形態として、アナログ信号とデジタル信号とがあり、利用者が、スピーカから出力すべき音声として、アナログ信号またはデジタル信号を選択できるようになっている装置もある。
また、この場合、音声の入力端子として、アナログ音声信号の入力端子と、デジタル音声信号の入力端子とが別々に備えられており、利用者は両方の音声入力端子にケーブルを接続することができる。あるいは、アナログとデジタルのどちらか一方の音声入力端子にケーブルが接続される場合もある。
このようにアナログとデジタルの２つの音声入力に対応するため、対応情報ＴＣ（ｍ，ｎ）の値として、２つの値を設定してもよい。
【００９８】
たとえば、アナログ音声の入力端子からアナログ音声信号が入力されている場合、その音声入力端子に対応するＴＣ（ｍ，ｎ）の値を「１」とする。一方、デジタル音声の入力端子からデジタル音声信号が入力されている場合、その音声入力端子に対応するＴＣ（ｍ，ｎ）の値を「２」とする。これにより、どちらの音声入力端子を、映像端子に対応付けしたかを区別することができる。
また、この場合、図９のステップＳ６１２を、図１０（ａ）のフロー（ステップＳ７００〜Ｓ７０２）に置きかえ、図９のステップＳ６２７を、図１０（ｂ）のフロー（ステップＳ７０３〜Ｓ７０５）に置きかえればよい。
図１０（ａ），（ｂ）のいずれのフローも、上記したように、アナログ音声信号が入力される音声端子の場合（Ｓ７０１，Ｓ７０４）は、ＴＣ（ｍ，ｎ）の値に「１」をセットし、デジタル音声信号が入力される音声端子の場合（Ｓ７０２，Ｓ７０５）は、ＴＣ（ｍ，ｎ）の値に「２」をセットする。
【００９９】
図１１に、デジタル音声信号の入力端子を考慮した場合の端子対応管理テーブル２４の一実施例の説明図を示す。
ここでは、ＴＣ（３，１）＝２となっており、音声入力端子ＡＴ１には、デジタル音声信号が入力されていることを示している。
また、ＴＣ（３，２）＝１となっており、音声入力端子ＡＴ２には、アナログ音声信号が入力されていることを示している。この場合、映像端子ＶＴ３には、２つの音声端子（ＡＴ１，ＡＴ２）とが対応づけられている。
したがって、映像端子ＶＴ３に入力される映像信号を表示部６に表示するように選択された場合、２つの音声端子（ＡＴ１，ＡＴ２）のうち、どちらの端子に入力された音声信号を出力するかを決定する必要がある。
この決定方法としては、たとえば、その都度利用者にどちらの音声を出力すべきかを入力してもらうようにしてもよい。あるいは、２つの音声信号に予め優先順位を付与しておき、優先順位の高い方の音声信号を、自動的に出力するようにしてもよい。
【０１００】
＜表示装置の視聴時の動作＞
図１２に、この発明の表示装置において、映像および音声を視聴する場合の処理のフローチャートを示す。
前提として、この表示装置と外部機器との間で映像および音声のケーブル接続が行われ、図６に示す対応付けなどの処理がすでに行われているものとする。
ステップＳ８００において、利用者に、操作部８によって視聴したい映像の選択入力をしてもらう。たとえば、現在入力されている映像信号の映像端子番号（ｍ）を表示部６にリスト表示し、利用者に視聴したい映像の番号をキー入力してもらうか、あるいは、マウス等を使ってポインティング入力をしてもらえばよい。
【０１０１】
たとえば、利用者が、映像入力端子番号Ｃを選択したとする。
ステップＳ８０１において、各変数を初期化する。
ここで、映像端子番号ｍに、入力された映像端子の番号Ｃをセットし、音声端子番号の変数ｎを１に初期化し、選択される音声端子番号の変数ｎｎを、仮に０に初期化する。
ステップＳ８０２において、管理テーブル２４の中からＴＣ（Ｃ，ｎ）を読み出す。
【０１０２】
ステップＳ８０３において、読み出したＴＣ（Ｃ，ｎ）が「１」か否か、チェックする。すなわち、映像端子Ｃに対応付けられた音声端子があるか否かチェックする。
ＴＣ（Ｃ，ｎ）が「１」の場合、ステップＳ８０４へ進み、変数ｎｎに、現在の変数ｎを代入する。すなわち、映像端子に対応付けされた音声端子ＡＴｎの番号ｎを、選択すべき音声端子の番号（ｎｎ）として、セットする。その後、ステップＳ８０５へ進む。
一方、ＴＣ（Ｃ，ｎ）がゼロのとき、ステップＳ８０５へ進み、次の音声端子をチェックするために、変数ｎをインクリメントする。
【０１０３】
ステップＳ８０６において、ｎ≦Ｎか否か、チェックする。
ｎ≦Ｎの場合、まだチェックすべき音声端子が残っているので、ステップＳ８０２へ戻り、ステップＳ８０２からＳ８０５の処理を繰り返す。
一方、ｎ＞Ｎとなったときは、すべての音声端子のチェックが終了したので、ステップＳ８０７へ進む。
ステップＳ８０７において、選択された映像端子Ｃに入力されている映像信号ＶＤＣを、映像端子選択部１によって選択する。これにより、選択された映像信号が、表示部６に表示される。
【０１０４】
ステップＳ８０８において、変数ｎｎが０か否か、チェックする。
ｎｎ＝０のとき、選択された音声がないので、ステップＳ８１０へ進み、音声は再生しない。
たとえば、音声端子にはケーブルが接続されているが、その音声端子には音声信号が入力されていない場合や、映像信号に対応する音声用のケーブルが接続されておらず、その映像端子Ｃに対応づけられた音声端子が存在しない場合などが、音声を再生しない場合に相当する。
【０１０５】
一方、ｎｎが０でない場合、ステップＳ８０９へ進み、選択された音声端子番号ｎｎの音声入力端子に入力されている音声信号を、音声端子選択部４によって選択する。これにより、選択された音声信号が、音声再生部１０から出力される。
【０１０６】
図１３に、デジタル音声信号を考慮した場合の視聴時における処理の一実施例のフローチャートを示す。
ここで、図１２と同じステップには同じステップ番号を付与している。
図１３では、ステップＳ８１１からＳ８１６の処理が、図１２の処理と異なる。
アナログ音声信号用の入力端子に加えて、デジタル音声信号が入力される音声入力端子がある場合、図１１に示したように、たとえば、１つの映像入力端子ＶＴ３に対して、２つの音声入力端子（ＡＴ１，ＡＴ２）が対応付けられ、その対応情報として、ＴＣ（３，１）＝２，ＴＣ（３，２）＝１が設定される。この場合は、音声入力端子ＡＴ１がデジタル音声入力端子である。
【０１０７】
この図１１の実施例において、ステップＳ８００で、利用者によって映像入力端子ＶＴ３が選択されたとすると、対応する音声入力端子としては、２つの端子（ＡＴ１，ＡＴ２）のうち、いずれかを選択することができる。
ここで、アナログ音声信号とデジタル音声信号の両方の入力がある場合において、ＴＣ（ｍ，ｎ）の値が大きなデジタル音声信号の方を優先的に選択するようにしてもよい。
【０１０８】
図１３は、出力すべき音声信号として、デジタル音声信号を優先的に選択する場合の処理を示したものである。
図１３のステップＳ８１１において、変数ｋを初期化する。
変数ｋは選択された映像端子Ｃについての対応情報ＴＣ（Ｃ，１）〜ＴＣ（Ｃ，Ｎ）の中で最も大きい数値を格納するためのものである。例えば、前述の図９及び図１０（ａ），（ｂ）のように、使用しているアナログ音声端子には１、使用しているデジタル音声端子には２が設定されるとすると、デジタル音声端子を使用していれば、変数ｋに２が格納される。変数ｋのセットは、ステップＳ８１４で行う。
また、デジタル音声でも、より高品位、例えば多ビット、多チャンネルである等で、より高品質な音声信号が伝送できるデジタル音声端子があるなど、デジタル音声端子の中でも優先順位がある場合、優先するデジタル音声端子ほど大きな数値を割り当てることで、更にデジタル音声信号入力端子の中でも最も優先するものを選択させることが可能となる。
【０１０９】
次に、ステップＳ８０２において、ＴＣ（Ｃ，ｎ）を読み出した後、ステップＳ８１２へ進み、ＴＣ（Ｃ，ｎ）と、ＴＣ（Ｃ，１）〜ＴＣ（Ｃ，(ｎ−１)）までで最も大きい値が格納されている変数ｋとを比較する。
ステップＳ８１３において、ＴＣ（Ｃ，ｎ）が変数ｋ以下であれば、ステップＳ８１５へ進む。一方、ＴＣ（Ｃ，ｎ）が変数ｋより大きければステップＳ８１４へ進む。即ち音声信号端子ｎが更に優先すべきものであれば、ステップＳ８１４へ進み、そうでなければステップＳ８１５へ進む。
ステップＳ８１４において、変数ｎｎに、現在のｎの値を代入する。また、変数ｋに、現在のＴＣ（Ｃ，ｎ）を代入する。
【０１１０】
ステップＳ８１５では、変数ｎに１を加え、ステップＳ８１６で変数ｎがＮ以下か調べ、ｎ≦Ｎであれば、次の音声信号端子を調べるために、ステップＳ８０２へ戻る。
一方、ステップＳ８１６で変数ｎがＮ以上であれば、全ての音声信号端子について調べたこととなり、ステップＳ８０７へ進む。以降は図１２の説明と同じため省略する。
【０１１１】
以上の処理により、選択された映像信号に対応付けられた音声信号が２つあるとき、デジタル音声信号の方が優先的に選択され、ステップＳ８０９において、そのデジタル音声信号が出力される。
【符号の説明】
【０１１２】
１  映像端子選択部
２  映像端子検出部
３  音声端子検出部
４  音声端子選択部
５  映像処理部
６  表示部
７  制御部
８  操作部
９  音声処理部
１０  音声再生部
１１  入力端子群
１１−１  映像端子群
１１−２  音声端子群
２０  記憶部
２１  最新使用状態記憶テーブル
２２  変更有無管理テーブル
２３  使用状態参照テーブル
２４  端子対応管理テーブル
２５  変更端子数
【図１】
2010287998.tif 000003
【図２】
2010287998.tif 000004
【図３】
2010287998.tif 000005
【図４】
2010287998.tif 000006
【図５】
2010287998.tif 000007
【図６】
2010287998.tif 000008
【図７】
2010287998.tif 000009
【図８】
2010287998.tif 000010
【図９】
2010287998.tif 000011
【図１０】
2010287998.tif 000012
【図１１】
2010287998.tif 000013
【図１２】
2010287998.tif 000014
【図１３】
2010287998.tif 000015